(57)【要約】【課題】キーワードを含む電子情報の基準期間の前後での変化内容を知りたいという要望に応えられる情報処理装置、対比情報出力方法およびプログラムを提供する。【解決手段】テキストとテキストの作成日または更新日を表す日付情報とを含む複数の電子情報を記憶する記憶装置と通信可能な情報処理装置は、開始日と終了日とを表す期間情報とキーワードとを含む検索要求が入力されると、記憶装置内の複数の電子情報の中から、テキスト内に該キーワードが含まれかつ日付情報が開始日より前の日付を示す第１電子情報と、テキスト内に該キーワードが含まれかつ日付情報が開始日と終了日のいずれかである特定日以降の日付を示す第２電子情報と、を抽出する抽出手段と、第１電子情報の抽出結果と第２電子情報の抽出結果との違いを表す対比情報を生成する生成手段と、を含む。【選択図】図１
2010079826.tif 000002
【特許請求の範囲】
【請求項１】
テキストと、当該テキストの作成日または更新日を表す日付情報と、を含む複数の電子情報を記憶する記憶装置と、通信可能な情報処理装置であって、
開始日と終了日とを表す期間情報と、キーワードと、を含む検索要求が入力されると、前記記憶装置内の複数の電子情報の中から、前記テキスト内に当該キーワードが含まれ、かつ、前記日付情報が、前記開始日より前の日付を示す第１電子情報と、前記テキスト内に当該キーワードが含まれ、かつ、前記日付情報が、前記開始日と前記終了日のいずれかである特定日以降の日付を示す第２電子情報と、のそれぞれを抽出する抽出手段と、
前記第１電子情報の抽出結果と、前記第２電子情報の抽出結果と、の違いを表す対比情報を生成する生成手段と、を含む情報処理装置。
【請求項２】
請求項１に記載の情報処理装置において、
前記抽出手段は、送信されてきた前記検索要求を受信し、
前記生成手段は、前記対比情報と共に前記キーワードを、前記検索要求の送信元に送信する出力手段を含む、情報処理装置。
【請求項３】
請求項１または２に記載の情報処理装置において、
前記生成手段は、
前記開始日より前の日付ごとに、当該日付を表す日付情報を含む前記第１電子情報の数を計数し、かつ、前記特定日以降の日付ごとに、当該日付を表す日付情報を含む前記第２電子情報の数を計数するカウント手段と、
前記第１電子情報についての日付ごとの計数の結果の平均を表す第１平均値を算出し、かつ、前記第２電子情報についての日付ごとの計数の結果の平均を表す第２平均値を算出し、前記第１平均値および前記第２平均値を表す平均件数情報を、前記対比情報として生成する算出手段と、を含む、情報処理装置。
【請求項４】
請求項３に記載の情報処理装置において、
前記算出手段は、前記第２平均値の前記第１平均値に対する比に応じた増加度情報を、前記対比情報として、さらに生成する、情報処理装置。
【請求項５】
請求項１から４のいずれか１項に記載の情報処理装置において、
前記生成手段は、
第１種類に予め分類されている第１語句と、前記第１分類と異なる第２種類に予め分類されている第２語句と、を格納する格納手段と、
前記第１電子情報内の前記第１語句の数および前記第２語句の数と、前記第２電子情報内の前記第１語句の数および前記第２語句の数と、を計数し、前記第１電子情報内の前記第１語句の数および前記第２語句の数と、前記第２電子情報内の前記第１語句の数および前記第２語句の数と、を表す語句数情報を、前記対比情報として生成する語句数情報生成手段と、を含む、情報処理装置。
【請求項６】
請求項１から５のいずれか１項に記載の情報処理装置において、
前記生成手段は、前記対比情報に、前記第１電子情報の抽出結果と、前記第２電子情報の抽出結果と、の各々を表示するためのリンク情報を付加する、情報処理装置。
【請求項７】
請求項１から６のいずれか１項に記載の情報処理装置において、
前記検索要求は、前記開始日より前の評価開始日と、前記終了日より後の評価終了日と、を表す評価期間情報をさらに含むものであり、
前記抽出手段は、前記検索要求を受け付けると、前記記憶装置内の複数の電子情報の中から、前記第１電子情報として、前記テキスト内に当該キーワードが含まれ、かつ、前記日付情報が、前記評価開始日以降で前記開始日より前の日付を示す第３電子情報を抽出し、前記第２電子情報として、前記テキスト内に当該キーワードが含まれ、かつ、前記日付情報が、前記特定日以降で前記評価終了日以前の日付を示す第４電子情報を抽出する、情報処理装置。
【請求項８】
請求項１から６のいずれか１項に記載の情報処理装置において、
前記抽出手段は、前記検索要求を受け付けると、前記開始日より予め定められた期間だけ前の評価開始日と、前記終了日より予め定められた期間だけ後の評価終了日と、を特定し、前記記憶装置内の複数の電子情報の中から、前記第１電子情報として、前記テキスト内に当該キーワードが含まれ、かつ、前記日付情報が、前記評価開始日以降で前記開始日より前の日付を示す第５電子情報を抽出し、前記第２電子情報として、前記テキスト内に当該キーワードが含まれ、かつ、前記日付情報が、前記特定日以降で前記評価終了日以前の日付を示す第６電子情報を抽出する、情報処理装置。
【請求項９】
テキストと、当該テキストの作成日または更新日を表す日付情報と、を含む複数の電子情報を記憶する記憶装置と、通信可能な情報処理装置が行う対比情報出力方法であって、
開始日と終了日とを表す期間情報と、キーワードと、を含む検索要求が入力されると、前記記憶装置内の複数の電子情報の中から、前記テキスト内に当該キーワードが含まれ、かつ、前記日付情報が、前記開始日より前の日付を示す第１電子情報と、前記テキスト内に当該キーワードが含まれ、かつ、前記日付情報が、前記開始日と前記終了日のいずれかである特定日以降の日付を示す第２電子情報と、のそれぞれを抽出する抽出ステップと、
前記第１電子情報の抽出結果と、前記第２電子情報の抽出結果と、の違いを表す対比情報を生成する生成ステップと、を含む対比情報出力方法。
【請求項１０】
請求項９に記載の対比情報出力方法において、
前記抽出ステップでは、送信されてきた前記検索要求を受信し、
前記生成ステップでは、前記対比情報と共に前記キーワードを、前記検索要求の送信元に送信する出力ステップを含む、対比情報出力方法。
【請求項１１】
テキストと、当該テキストの作成日または更新日を表す日付情報と、を含む複数の電子情報を記憶する記憶装置と、通信可能なコンピュータに、
開始日と終了日とを表す期間情報と、キーワードと、を含む検索要求が入力されると、前記記憶装置内の複数の電子情報の中から、前記テキスト内に当該キーワードが含まれ、かつ、前記日付情報が、前記開始日より前の日付を示す第１電子情報と、前記テキスト内に当該キーワードが含まれ、かつ、前記日付情報が、前記開始日と前記終了日のいずれかである特定日以降の日付を示す第２電子情報と、のそれぞれを抽出する抽出手順と、
前記第１電子情報の抽出結果と、前記第２電子情報の抽出結果と、の違いを表す対比情報を生成する生成手順と、を実行させるためのプログラム。
【請求項１２】
請求項１１に記載のプログラムにおいて、
前記抽出手順では、送信されてきた前記検索要求を受信し、
前記生成手順では、前記対比情報と共に前記キーワードを、前記検索要求の送信元に送信する出力手順を含む、プログラム。
【発明の詳細な説明】
【技術分野】
【０００１】
本発明は、情報処理装置、対比情報出力方法およびプログラムに関する。
【背景技術】
【０００２】
ブログ等の電子情報には、特定の対象（例えば、商品またはサービス）についてのコメントが記載されている場合がある。このため、例えば、マーケティングリサーチにおいて、特定の対象の名称が記載されたブログ等の電子情報を分析することが重要になってきている。
【０００３】
特許文献１には、ブログ等の電子情報から、特定の対象（例えば、商品）の評価を示す意見を抽出する意見抽出装置が記載されている。
【特許文献１】特開２００７−１７２１７９号公報
【発明の開示】
【発明が解決しようとする課題】
【０００４】
商品またはサービス等の特定対象についてのキャンペーンが、特定の期間、実施される場合がある。この際、キャンペーンの効果を分析したいという要望、例えば、特定対象を表すキーワードが記載された電子情報が、キャンペーン前とキャンペーン後とで、どのように変化したかを知りたいという要望がある。
【０００５】
特許文献１に記載の意見抽出装置は、期間情報を用いた検索・抽出を行わない。このため、この意見抽出装置は、特定対象を表すキーワードが記載された電子情報を、キャンペーン前とキャンペーン後に分けて、分析することはできない。よって、この意見抽出装置は、特定対象を表すキーワードが記載された電子情報が、所定期間の前後で、どのように変化したかを知りたいという要望に応えることができない。
【０００６】
本発明の目的は、上述した課題を解決することが可能な情報処理装置、対比情報出力方法およびプログラムを提供することにある。
【課題を解決するための手段】
【０００７】
本発明の情報処理装置は、テキストと、当該テキストの作成日または更新日を表す日付情報と、を含む複数の電子情報を記憶する記憶装置と、通信可能な情報処理装置であって、開始日と終了日とを表す期間情報と、キーワードと、を含む検索要求が入力されると、前記記憶装置内の複数の電子情報の中から、前記テキスト内に当該キーワードが含まれ、かつ、前記日付情報が、前記開始日より前の日付を示す第１電子情報と、前記テキスト内に当該キーワードが含まれ、かつ、前記日付情報が、前記開始日と前記終了日のいずれかである特定日以降の日付を示す第２電子情報と、のそれぞれを抽出する抽出手段と、前記第１電子情報の抽出結果と、前記第２電子情報の抽出結果と、の違いを表す対比情報を生成する生成手段と、を含む。
【０００８】
本発明の対比情報出力方法は、テキストと、当該テキストの作成日または更新日を表す日付情報と、を含む複数の電子情報を記憶する記憶装置と、通信可能な情報処理装置が行う対比情報出力方法であって、開始日と終了日とを表す期間情報と、キーワードと、を含む検索要求が入力されると、前記記憶装置内の複数の電子情報の中から、前記テキスト内に当該キーワードが含まれ、かつ、前記日付情報が、前記開始日より前の日付を示す第１電子情報と、前記テキスト内に当該キーワードが含まれ、かつ、前記日付情報が、前記開始日と前記終了日のいずれかである特定日以降の日付を示す第２電子情報と、のそれぞれを抽出する抽出ステップと、前記第１電子情報の抽出結果と、前記第２電子情報の抽出結果と、の違いを表す対比情報を生成する生成ステップと、を含む。
【０００９】
本発明のプログラムは、テキストと、当該テキストの作成日または更新日を表す日付情報と、を含む複数の電子情報を記憶する記憶装置と、通信可能なコンピュータに、開始日と終了日とを表す期間情報と、キーワードと、を含む検索要求が入力されると、前記記憶装置内の複数の電子情報の中から、前記テキスト内に当該キーワードが含まれ、かつ、前記日付情報が、前記開始日より前の日付を示す第１電子情報と、前記テキスト内に当該キーワードが含まれ、かつ、前記日付情報が、前記開始日と前記終了日のいずれかである特定日以降の日付を示す第２電子情報と、のそれぞれを抽出する抽出手順と、前記第１電子情報の抽出結果と、前記第２電子情報の抽出結果と、の違いを表す対比情報を生成する生成手順と、を実行させる。
【発明の効果】
【００１０】
本発明によれば、キーワードが記載された電子情報が、基準期間（所定期間）の前後で、どのように変化したかを知りたいという要望に応えることが可能になる。
【発明を実施するための最良の形態】
【００１１】
以下、本発明の実施形態を図面を参照して説明する。
【００１２】
（第１実施形態）
図１は、本発明の第１実施形態の情報処理装置１を示したブロック図である。
【００１３】
図１において、情報処理装置１は、利用者ＰＣ（Personal Computer）２とブログサーバ３とネットワーク４のそれぞれと接続される。
【００１４】
利用者ＰＣ２は、情報処理装置１の利用者によって使用される。
【００１５】
利用者ＰＣ２は、例えば、利用者の操作に応じて、情報処理装置１に、検索要求を送信する。検索要求は、開始日と終了日とで表されるイベント期間（例えば、２００８年１２月１４日〜２００８年１２月１６日）を示すイベント期間情報と、キーワードと、を含む。なお、複数のイベント期間情報が、検索要求に含まれてもよい。イベント期間情報は、一般的に期間情報と呼ぶことができる。イベント期間情報は、時刻情報を有してもよい。
【００１６】
本実施形態では、検索要求は、評価期間を示す評価期間情報をさらに含む。
【００１７】
評価期間情報は、イベント期間の開始日より前の評価開始日と、イベント期間の終了日より後の評価終了日と、によって特定される評価期間を表す。評価期間情報は、時刻情報を有してもよい。
【００１８】
なお、評価期間が、イベント期間の前後に既定期間を加えた期間として、予め設定されている場合、検索要求内の評価期間情報は省略される。この場合、評価開始日は、開始日より予め定められた期間だけ前の日となり、評価終了日は、終了日より予め定められた期間だけ後の日となる。
【００１９】
利用者ＰＣ２は、情報処理装置１に検索要求を送信した後、情報処理装置１から、検索要求に応じた検索結果を受信し、その検索結果を表示する。
【００２０】
ブログサーバ３は、一般的に記憶装置と呼ぶことができる。ブログサーバ３は、複数のブログを記憶するブログ記憶部３１を含む。ブログは、一般的に、テキストと、そのテキストの作成日または更新日を表す日付情報と、を含む電子情報と呼ぶことができる。なお、テキストは、タイトルおよびブログ内容を含む。日時情報は、時刻情報を含んでもよい。
【００２１】
情報処理装置１は、抽出部１１と、生成部１２と、を含む。抽出部１１は、ブログ抽出部１１ａと、抽出結果記憶部１１ｂと、を含む。生成部１２は、カウント部１２ａと、算出部１２ｂと、出力部１２ｃと、を含む。
【００２２】
抽出部１１は、一般的に抽出手段と呼ぶことができる。
【００２３】
抽出部１１（具体的には、ブログ抽出部１１ａ）は、利用者ＰＣ２から検索要求を受信する（検索要求が入力される）と、検索要求内のイベント期間情報ごとに、ブログ記憶部３１内の複数のブログの中から、テキスト内に検索要求内のキーワードが含まれ、かつ、日付情報が、イベント期間情報にて表される開始日より前の日付を示すイベント期間前ブログと、テキスト内にそのキーワードが含まれ、かつ、日付情報がイベント期間情報にて表される開始日と終了日のいずれかである特定日以降の日付を示すイベント期間後ブログと、のそれぞれを、少なくとも抽出する。
【００２４】
なお、抽出部１１は、入力部（不図示）から検索要求が入力されてもよい。
【００２５】
イベント期間前ブログは、一般的に第１電子情報と呼ぶことができる。イベント期間後ブログは、一般的に第２電子情報と呼ぶことができる。
【００２６】
本実施形態では、ブログ抽出部１１ａは、ブログ記憶部３１内の複数のブログの中から、イベント期間前ブログとして、テキスト内に検索要求内のキーワードが含まれ、かつ、日付情報が、評価開始日以降で開始日より前の日付を示す期間前ブログを抽出する。
【００２７】
また、ブログ抽出部１１ａは、ブログ記憶部３１内の複数のブログの中から、イベント期間後ブログとして、テキスト内に検索要求内のキーワードが含まれ、かつ、日付情報が、特定日以降で評価終了日以前の日付を示す期間後ブログを抽出する。
【００２８】
期間前ブログは、一般的に第３電子情報と呼ぶことができる。期間後ブログは、一般的に第４電子情報と呼ぶことができる。
【００２９】
なお、評価期間が、イベント期間の前後に既定期間（例えば、１週間）を加えた期間として、予め設定されている場合、ブログ抽出部１１ａは、以下のように動作する。
【００３０】
ブログ抽出部１１ａは、検索要求を受け付けると、開始日より予め定められた期間（第１既定期間；例えば、１週間）だけ前の評価開始日と、終了日より予め定められた期間（第２既定期間；例えば、１週間）だけ後の評価終了日と、を特定する。ブログ抽出部１１ａは、評価開始日から評価終了日までの期間を、評価期間として扱う。
【００３１】
ブログ抽出部１１ａは、評価期間を特定すると、ブログ記憶部３１内の複数のブログの中から、イベント期間前ブログとして、テキスト内に検索要求内のキーワードが含まれ、かつ、日付情報が、評価開始日以降で開始日より前の日付を示す基準期間前ブログを抽出する。
【００３２】
また、ブログ抽出部１１ａは、ブログ記憶部３１内の複数のブログの中から、イベント期間後ブログとして、テキスト内に検索要求内のキーワードが含まれ、かつ、日付情報が、特定日以降で評価終了日以前の日付を示す基準期間後ブログを抽出する。
【００３３】
基準期間前ブログは、一般的に第５電子情報と呼ぶことができる。基準期間後ブログは、一般的に第６電子情報と呼ぶことができる。
【００３４】
本実施形態では、ブログ抽出部１１ａは、イベント期間情報ごとに、イベント期間前ブログと、イベント期間後ブログと、を抽出する。
【００３５】
ブログ抽出部１１ａは、イベント期間情報ごとに、抽出結果（抽出されたブログ（ＵＲＬ、タイトル、作成（更新）日、内容等））を、評価期間を表す評価期間情報と検索要求と共に、抽出結果記憶部１１ｂに記憶する。
【００３６】
なお、ブログ抽出部１１ａは、イベント期間前ブログ、または、イベント期間後ブログとして、検索要求に該当するブログのＵＲＬと作成（更新）日のみを抽出し、その抽出結果を、抽出結果記憶部１１ｂに記憶してもよい。
【００３７】
評価期間情報が、検索要求に含まれている場合、ブログ抽出部１１ａは、抽出結果を、検索要求と共に、抽出結果記憶部１１ｂに記憶する。また、検索要求には、検索要求の送信元を特定するためのアクセス情報が付与されているものとする。
【００３８】
ブログ抽出部１１ａは、抽出結果等を抽出結果記憶部１１ｂに記憶すると、抽出終了通知を、生成部１２（具体的には、カウント部１２ａ）に提供する。
【００３９】
生成部１２は、一般的に生成手段と呼ぶことができる。
【００４０】
生成部１２は、イベント期間情報ごとに、イベント期間前ブログの抽出結果と、イベント期間後ブログの抽出結果と、の違いを表す対比情報を生成し、その対比情報を、検索結果として、利用者ＰＣ２に出力する。
【００４１】
本実施形態では、生成部１２は、対比情報と共に、少なくとも、検索要求内のキーワードを、検索結果として、利用者ＰＣ２に出力する。
【００４２】
カウント部１２ａは、一般的にカウント手段と呼ぶことができる。
【００４３】
カウント部１２ａは、抽出終了通知を受け付けた場合、抽出結果記憶部１１ｂから、イベント期間情報ごとに、抽出結果と、評価期間情報と、イベント期間情報と、を読み出す。
【００４４】
カウント部１２ａは、続いて、開始日より前の日付ごとに、その日付を表す日付情報を含むイベント期間前ブログの数を計数し、かつ、特定日以降の日付ごとに、その日付を表す日付情報を含むイベント期間後ブログの数を計数する。
【００４５】
本実施形態では、カウント部１２ａは、イベント期間情報ごとに、抽出結果である各ブログをカウント対象として、評価期間内の日付ごとに、その日付を表す日付情報を含むブログの数をカウントする。カウント部１２ａは、イベント期間情報ごとに、日ごとのカウント結果を、評価期間情報と検索要求と共に、算出部１２ｂに、提供する。
【００４６】
算出部１２ｂは、一般的に算出手段と呼ぶことができる。
【００４７】
算出部１２ｂは、イベント期間情報ごとに、イベント期間前ブログについての日付ごとの計数の結果の平均を表すブログ前件数を算出し、かつ、イベント期間後ブログについての日付ごとの計数の結果の平均を表すブログ後件数を算出する。
【００４８】
ブログ前件数は、一般的に第１平均値と呼ぶことができる。ブログ後件数は、一般的に第２平均値と呼ぶことができる。
【００４９】
算出部１２ｂは、イベント期間情報ごとに、ブログ前件数およびブログ後件数を表す平均件数情報を、対比情報として生成する。
【００５０】
また、算出部１２ｂは、イベント期間情報ごとに、ブログ後件数のブログ前件数に対する比（ブログ後件数をブログ前件数で除算した値）を算出する。算出部１２ｂは、その比（以下「ブログ増加割合」と称する）に応じた増加度情報を、対比情報として、さらに生成する。
【００５１】
算出部１２ｂは、イベント期間情報ごとに、対比情報を、検索要求と共に、出力部１２ｃに提供する。
【００５２】
出力部１２ｃは、一般的に出力手段と呼ぶことができる。
【００５３】
出力部１２ｃは、算出部１２ｂから、イベント期間情報ごとに、対比情報を受け付けた場合、その対比情報を、検索結果として、検索要求の送信元に送信する。なお、出力部１２ｃは、対比情報を、検索結果として、表示部（不図示）に表示してもよい。
【００５４】
本実施形態では、出力部１２ｃは、対比情報を、検索要求と共に、検索要求の送信元に送信する。
【００５５】
なお、図１に示した情報処理装置１は、ＣＤ−ＲＯＭ、ハードディスクまたはメモリに記録されたプログラムに従って動作するコンピュータによって実現されてもよい。ＣＤ−ＲＯＭ、ハードディスクまたはメモリは、一般的に、コンピュータにて読み取り可能な記録媒体と呼ぶことができる。
【００５６】
この場合、コンピュータは、そのプログラムを記録媒体から読み取り実行することによって、抽出部１１および生成部１２として機能し、情報処理装置１を実現する。
【００５７】
次に、動作を説明する。
【００５８】
図２は、情報処理装置１の動作を説明するためのフローチャートである。以下、図２を参照して情報処理装置１の動作を説明する。以下では、検索要求内に、１つのイベント情報が含まれるとする。
【００５９】
ステップ２０１で、抽出部１１は、利用者ＰＣ２から検索要求を受け付けると、ステップ２０２を実行する。
【００６０】
ステップ２０２では、抽出部１１は、検索要求に基づいて、ブログ記憶部３１から、イベント期間前ブログと、イベント期間後ブログと、のそれぞれを抽出する。各ブログの抽出が終了すると、抽出部１１は、抽出終了通知を、カウント部１２ａに提供する。
【００６１】
続いて、ステップ２０３では、カウント部１２ａは、抽出終了通知を受け付けると、抽出部１１が抽出した各ブログをカウント対象として、評価期間内の日付ごとに、その日付を表す日付情報を含むブログの数をカウントする。カウント部１２ａは、日付ごとにカウント結果を、評価期間情報と検索要求と共に、算出部１２ｂに提供する。
【００６２】
続いて、ステップ２０４では、算出部１２ｂは、評価期間情報と、検索要求内のイベント期間情報と、カウント部１２ａによる日付ごとのカウント結果と、に基づいて、ブログ前件数を算出する。
【００６３】
続いて、ステップ２０５では、算出部１２ｂは、評価期間情報と、検索要求内のイベント期間情報と、カウント部１２ａによる日付ごとのカウント結果と、に基づいて、ブログ後件数を算出する。
【００６４】
続いて、ステップ２０６では、算出部１２ｂは、ブログ後件数をブログ前件数で除算して、ブログ増加割合を算出する。続いて、算出部１２ｂは、ブログ増加割合に応じた増加度情報を生成する。
【００６５】
例えば、算出部１２ｂは、ブログ増加割合が１未満の値を示す場合、「△」を表す画像情報を、増加度情報として生成する。また、算出部１２ｂは、ブログ増加割合が１以上１．５未満の場合、「○」を表す画像情報を、増加度情報として生成する。また、算出部１２ｂは、ブログ増加割合が１．５以上の場合、「◎」を表す画像情報を、増加度情報として生成する。
【００６６】
算出部１２ｂは、増加度情報を生成すると、ブログ前件数と、ブログ後件数と、増加度情報と、検索要求と、評価期間情報とを、出力部１２ｃに提供する。
【００６７】
続いて、ステップ２０７では、出力部１２ｃは、ブログ前件数と、ブログ後件数と、増加度情報と、検索要求と、評価期間情報とを、検索要求の送信元である利用者ＰＣ２に送信する。
【００６８】
利用者ＰＣ２は、情報処理装置１から、ブログ前件数と、ブログ後件数と、増加度情報と、検索要求と、評価期間情報と、を受信すると、ブログ前件数と、ブログ後件数と、増加度情報と、検索要求と、評価期間情報と、を表示する。
【００６９】
図３および図４は、利用者ＰＣ２での表示例を示した説明図である。
【００７０】
次に、本実施形態の効果を説明する。
【００７１】
本実施形態では、抽出部１１は、利用者ＰＣ２から検索要求を受け付けると、ブログ記憶部３１内の複数のブログの中から、イベント期間前ブログと、イベント期間後ブログと、のそれぞれを抽出する。
【００７２】
生成部１２は、イベント期間前ブログの抽出結果と、イベント期間後ブログの抽出結果と、の違いを表す対比情報を生成し、その対比情報を、検索結果として、利用者ＰＣ２に出力する。
【００７３】
このため、イベント期間前後で、検索要求に含まれるキーワードが記載されたブログが、どのように変化したかを表す情報を提供することが可能になる。
【００７４】
よって、キーワードが記載されたブログ（電子情報）が、イベント期間（基準期間）の前後で、どのように変化したかを知りたいという要望に応えることが可能になる。
【００７５】
本実施形態では、生成部１２は、対比情報と共にキーワードを、検索要求の送信元に送信する。
【００７６】
この場合、対比情報を検証する観点としてキーワードを提供することが可能になる。よって、対比情報の検証を支援することが可能になる。
【００７７】
本実施形態では、カウント部１２ａが、開始日より前の日付ごとに、その日付を表す日付情報を含むイベント期間前ブログの数を計数し、かつ、特定日以降の日付ごとに、その日付を表す日付情報を含むイベント期間後ブログの数を計数する。
【００７８】
算出部１２ｂは、カウント部１２ａによる日毎のカウント結果に基づいて、ブログ前件数と、ブログ後件数と、を算出し、ブログ前件数とブログ後件数とを表す平均件数情報を、対比情報として生成する。
【００７９】
出力部１２ｃは、対比情報を、検索要求の送信元（利用者ＰＣ２）に送信する。
【００８０】
この場合、イベント期間前後での、キーワードを含むブログの１日あたりの件数の変化を提示することが可能になる。
【００８１】
本実施形態では、算出部１２ｂは、ブログ後件数のブログ前件数に対する比に応じた増加度情報を、対比情報として、さらに生成する。
【００８２】
この場合、イベント期間前後での、キーワードを含むブログの増加度を提示することが可能になる。
【００８３】
本実施形態では、抽出部１１は、キーワードとイベント期間情報と評価期間情報とを含む検索要求を受信すると、ブログ記憶部３１内の複数のブログの中から、イベント期間前ブログとして、テキスト内にキーワードが含まれ、かつ、日付情報が評価期間のうちでイベント期間より前の日付を示すブログを、イベント期間後ブログとして、テキスト内にキーワードが含まれ、かつ、日付情報が評価期間のうちで特定日以降の日付を示すブログを、それぞれ抽出する。
【００８４】
この場合、ユーザは、自らが望む評価期間を設定することが可能になる。
【００８５】
なお、抽出部１１は、キーワードとイベント期間情報とを含むと共に評価期間情報を含まない検索要求を受信すると、イベント期間の前後に予め定められた期間を加えた評価期間を特定し、ブログ記憶部３１内の複数のブログの中から、イベント期間前ブログとして、テキスト内にキーワードが含まれ、かつ、日付情報が評価期間のうちでイベント期間より前の日付を示すブログを、イベント期間後ブログとして、テキスト内にキーワードが含まれ、かつ、日付情報が評価期間のうちで特定日より後の日付を示すブログを、それぞれ抽出する。
【００８６】
この場合、ユーザは、評価期間情報を入力する作業を行う必要がなくなる。よって、ユーザの作業負担を軽減することが可能になる。
【００８７】
（第２実施形態）
図５は、本発明の第２実施形態の情報処理装置１Ａを示したブロック図である。図５において、図１に示したものと同一構成のものには同一符号を付してある。
【００８８】
図５に示した情報処理装置１Ａは、抽出部１１の代わりに抽出部１１Ａを含み、生成部１２の代わりに生成部１２Ａを含む点が、図１に示した情報処理装置１と異なる。以下、情報処理装置１Ａについて、情報処理装置１と異なる点を中心に説明する。
【００８９】
生成部１２Ａは、一般的に生成手段と呼ぶことができ、カウント部１２ａと、分析部１２ｄＡと、算出部１２ｂＡと、出力部１２ｃＡと、を含む。分析部１２ｄＡは、格納部１２ｄＡ１と、語句分析部１２ｄＡ２と、記憶部１２ｄＡ３と、を含む。語句分析部１２ｄＡ２と、算出部１２ｂＡと、出力部１２ｃＡとは、語句数情報生成部１２ｅＡに含まれる。
【００９０】
抽出部１１Ａは、一般的に抽出手段と呼ぶことができ、ブログ抽出部１１ａＡと、抽出結果記憶部１１ｂと、を含む。
【００９１】
ブログ抽出部１１ａＡは、ブログ抽出部１１と同一の機能を有し、さらに、抽出終了通知を、分析部１２ｄＡ（具体的には、語句分析部１２ｄＡ２）に提供する。
【００９２】
分析部１２ｄＡは、抽出終了通知を受け付けると、抽出結果記憶部１１ｂ内の抽出結果を分析する。
【００９３】
格納部１２ｄＡ１は、一般的に格納手段と呼ぶことができる。
【００９４】
格納部１２ｄＡ１は、ポジティブなイメージという種類に予め分類されている語句（以下「ポジティブ語句」と称する）と、ネガティブなイメージという種類に予め分類されている語句（以下「ネガティブ語句」と称する）と、を格納する。
【００９５】
なお、ポジティブ語句とネガティブ語句との関係は、例えば、意味の上で互いに反対の関係になる語の関係、つまり、対義語の関係（例えば、「良い」と「悪い」、「安い」と「高い」）になることが望ましい。
【００９６】
ポジティブなイメージという種類は、一般的に第１種類と呼ぶことができる。ポジティブ語句は、一般的に第１語句と呼ぶことができる。また、ネガティブなイメージという種類は、一般的に第２種類と呼ぶことができる。ネガティブ語句は、一般的に第２語句と呼ぶことができる。
【００９７】
語句数情報生成部１２ｅＡは、一般的に語句数情報生成手段と呼ぶことができる。
【００９８】
語句数情報生成部１２ｅＡは、抽出終了通知を受け付けると、抽出結果記憶部１１ｂと格納部１２ｄＡ１とを参照して、イベント期間前ブログ内のポジティブ語句の数およびネガティブ語句の数と、イベント期間後ブログ内のポジティブ語句の数およびネガティブ語句の数と、を計数する。
【００９９】
語句数情報生成部１２ｅＡは、計数結果、つまり、イベント期間前ブログ内のポジティブ語句の数およびネガティブ語句の数と、イベント期間後ブログ内のポジティブ語句の数およびネガティブ語句の数と、を表す語句数情報を、対比情報として生成する。
【０１００】
語句数情報生成部１２ｅＡは、対比情報を、検索要求の送信元（利用者ＰＣ２）に送信する。
【０１０１】
語句分析部１２ｄＡ２は、抽出終了通知を受け付けると、抽出結果記憶部１１ｂ内のブログのテキストを、ブログごとに、品詞単位で分解して複数の語句を生成する。
【０１０２】
語句分析部１２ｄＡ２は、ブログごとに複数の語句を生成すると、格納部１２ｄＡ１を参照して、ブログごとに、複数の語句のそれぞれを、ポジティブ語句、ネガティブ語句、その他の語句に分類する。
【０１０３】
語句分析部１２ｄＡ２は、ブログごとに複数の語句を分類すると、ブログごとに、ポジティブ語句の数（以下「ポジ数」と称する）と、ネガティブ語句の数（以下「ネガ数」と称する）と、をカウントする。
【０１０４】
語句分析部１２ｄＡ２は、ブログごとに、ポジ数とネガ数とをカウントすると、ブログごとにポジ数とネガ数を記憶部１２ｄＡ３に記憶する。
【０１０５】
算出部１２ｂＡは、一般的に算出手段と呼ぶことができる。算出部１２ｂＡは、算出部１２ｂと同一の機能を有し、さらに、以下の機能を有する。
【０１０６】
算出部１２ｂＡは、記憶部１２ｄＡ３を参照して、イベント期間前ブログが有するポジ数の平均値（以下「前ポジ数」と称する）と、イベント期間前ブログが有するネガ数の平均値（以下「前ネガ数」と称する）と、を算出する。
【０１０７】
続いて、算出部１２ｂＡは、記憶部１２ｄＡ３を参照して、イベント期間後ブログが有するポジ数の平均値（以下「後ポジ数」と称する）と、イベント期間後ブログが有するネガ数の平均値（以下「後ネガ数」と称する）と、を算出する。
【０１０８】
算出部１２ｂＡは、前ポジ数と、前ネガ数と、後ポジ数と、後ネガ数と、を表す語句数情報を、対比情報として、出力部１２ｃＡに提供する。
【０１０９】
出力部１２ｃＡは、一般的に出力手段と呼ぶことができる。出力部１２ｃＡは、出力部１２ｃと同一の機能を有し、さらに、以下の機能を有する。
【０１１０】
出力部１２ｃＡは、さらに、語句数情報を、対比情報として、検索要求と共に、検索要求の送信元（利用者ＰＣ２）に送信する。
【０１１１】
利用者ＰＣ２は、情報処理装置１Ａから、対比情報と検索要求とを受信すると、さらに、前ポジ数と、前ネガ数と、後ポジ数と、後ネガ数と、を表示する。
【０１１２】
本実施形態によれば、語句数情報生成部１２ｅＡは、前ポジ数と、前ネガ数と、後ポジ数と、後ネガ数とを計数し、前ポジ数と、前ネガ数と、後ポジ数と、後ネガ数と、を表す語句数情報を、対比情報として生成する。
【０１１３】
この場合、イベント期間の前後で、予め定められた語句の数が、どのように変化したかを表すことが可能になる。
【０１１４】
なお、図５に示した情報処理装置１Ａは、ＣＤ−ＲＯＭ、ハードディスクまたはメモリ等の記録媒体に記録されたプログラムに従って動作するコンピュータによって実現されてもよい。
【０１１５】
この場合、コンピュータは、そのプログラムを記録媒体から読み取り実行することによって、抽出部１１Ａおよび生成部１２Ａとして機能し、情報処理装置１Ａを実現する。
【０１１６】
（第３実施形態）
図６は、本発明の第３実施形態の情報処理装置１Ｂを示したブロック図である。図６において、図５に示したものと同一構成のものには同一符号を付してある。
【０１１７】
図６に示した情報処理装置１Ｂは、抽出部１１Ａの代わりに抽出部１１Ｂを含み、生成部１２Ａの代わりに生成部１２Ｂを含む点が、図５に示した情報処理装置１Ａと異なる。以下、情報処理装置１Ｂについて、情報処理装置１Ａと異なる点を中心に説明する。
【０１１８】
生成部１２Ｂは、一般的に生成手段と呼ぶことができ、カウント部１２ａと、分析部１２ｄＡと、算出部１２ｂＡと、出力部１２ｃＢと、を含む。
【０１１９】
生成部１２Ｂは、対比情報に、イベント期間前ブログの抽出結果と、イベント期間後ブログの抽出結果と、の各々を表示するためのリンク情報を付加し、そのリンク情報が付加された対比情報を、検索要求の送信元である利用者ＰＣ２に送信する。
【０１２０】
抽出部１１Ｂは、一般的に抽出手段と呼ぶことができ、ブログ抽出部１１ａＢと、抽出結果記憶部１１ｂと、を含む。
【０１２１】
ブログ抽出部１１ａＢは、ブログ抽出部１１Ａと同一の機能を有し、さらに、以下の機能を有する。
【０１２２】
ブログ抽出部１１ａＢは、イベント期間前ブログのタイトルもしくはテキストの少なくともいずれかを含む画面データ（以下「前ブログ画面データ」と称する）を作成し、前ブログ画面データを、抽出結果記憶部１１ｂに記憶する。
【０１２３】
また、ブログ抽出部１１ａＢは、イベント期間後ブログのタイトルもしくはテキストの少なくともいずれかを含む画面データ（以下「後ブログ画面データ」と称する）を作成し、後ブログ画面データを、抽出結果記憶部１１ｂに記憶する。
【０１２４】
ブログ抽出部１１ａＢは、前ブログ画面データおよび後ブログ画面データとして、例えば、ＨＴＭＬ（HyperText Markup Language）ファイルの前ブログ画面データおよび後ブログ画面データを作成する。
【０１２５】
出力部１２ｃＢは、一般的に出力手段と呼ぶことができる。出力部１２ｃＢは、出力部１２ｃＡと同一の機能を有し、さらに、以下の機能を有する。
【０１２６】
出力部１２ｃＢは、対比情報である平均件数情報に、前件数がクリックされた際に抽出結果記憶部１１ｂ内の前ブログ画面データに応じた画面を表示するためのリンク情報（前ブログ画面データのＵＲＬなど）を付加し、さらに、後件数がクリックされた際に抽出結果記憶部１１ｂ内の後ブログ画面データに応じた画面を表示するためのリンク情報（後ブログ画面データのＵＲＬなど）を付加する。
【０１２７】
出力部１２ｃＢは、リンク情報が付加された平均件数情報を、他の対比情報および検索要求と共に、検索要求の送信元（利用者ＰＣ２）に送信する。
【０１２８】
本実施形態によれば、生成部１２Ｂは、対比情報に、イベント期間前ブログの抽出結果と、イベント期間後ブログの抽出結果と、の各々を表示するためのリンク情報を付加し、そのリンク情報が付加された対比情報を、検索要求の送信元である利用者ＰＣ２に送信する。
【０１２９】
この場合、ユーザは、例えば、対比情報をクリックすることによって、イベント期間前ブログ、または、イベント期間後ブログを確認することが可能になる。
【０１３０】
なお、図６に示した情報処理装置１Ｂは、ＣＤ−ＲＯＭ、ハードディスクまたはメモリ等の記録媒体に記録されたプログラムに従って動作するコンピュータによって実現されてもよい。
【０１３１】
この場合、コンピュータは、そのプログラムを記録媒体から読み取り実行することによって、抽出部１１Ｂおよび生成部１２Ｂとして機能し、情報処理装置１Ｂを実現する。
【０１３２】
上記各実施形態では、電子情報としてブログを用いたが、電子情報は、ブログに限らず、ＨＰ、電子メールでもよい。
【０１３３】
以上説明した各実施形態において、図示した構成は単なる一例であって、本発明はその構成に限定されるものではない。
【図面の簡単な説明】
【０１３４】
【図１】本発明の第１実施形態の情報処理装置１を示したブロック図である。
【図２】情報処理装置１の動作を説明するためのフローチャートである。
【図３】利用者ＰＣ２での検索結果の表示例を示した説明図である。
【図４】利用者ＰＣ２での検索結果の他の表示例を示した説明図である。
【図５】本発明の第２実施形態の情報処理装置１Ａを示したブロック図である。
【図６】本発明の第３実施形態の情報処理装置１Ｂを示したブロック図である。
【符号の説明】
【０１３５】
１、１Ａ、１Ｂ  情報処理装置
１１、１１Ａ、１１Ｂ  抽出部
１１ａ、１１ａＡ、１１ａＢ  ブログ抽出部
１１ｂ  抽出結果記憶部
１２、１２Ａ、１２Ｂ  生成部
１２ａ  カウント部
１２ｂ、１２ｂＡ  算出部
１２ｃ、１２ｃＡ、１２ｃＢ  出力部
１２ｄＡ  分析部
１２ｄＡ１  格納部
１２ｄＡ２  語句分析部
１２ｄＡ３  記憶部
１２ｅＡ  語句数情報生成部
２      利用者ＰＣ
３      ブログサーバ
３１    ブログ記憶部
４      ネットワーク
【図１】
2010079826.tif 000003
【図２】
2010079826.tif 000004
【図３】
2010079826.tif 000005
【図４】
2010079826.tif 000006
【図５】
2010079826.tif 000007
【図６】
2010079826.tif 000008